(57)【特許請求の範囲】
【請求項１】
温度センサで検出された温度を液晶ディスプレイに表示する電子温度計において、測定範囲内の個々の温度に対応する静止画像と特定温度のみに対応する動画像とが格納された画像記憶部を有する記憶装置と、その画像記憶部から温度センサの検出温度に対応する静止画像を検索して液晶ディスプレイに表示すると共に、前記特定温度が温度センサで検出されたときに、その検出温度に対応する静止画像を表示した液晶ディスプレイの画面上に前記動画像を表示する制御装置とを備えていることを特徴とする電子温度計。
【請求項２】
温度センサで検出された温度を液晶ディスプレイに表示する電子温度計において、測定範囲内の温度に対応する画像を格納した画像記憶部を有する記憶装置と、その画像記憶部から温度センサの検出温度に対応する画像を検索して液晶ディスプレイに表示する制御装置とを備え、前記画像が、測定対象温度の種類を表すモチーフで構成されると共に、各測定対象温度の最適温度もしくは適正温度に対応して前記画像記憶部に格納され、前記制御装置が、キー入力装置からの入力信号により、温度センサの検出温度に対応する画像を前記画像記憶部から検索する処理を中断して、当該画像記憶部に格納された各画像とその画像に対応する温度とを液晶ディスプレイにスクロール表示する割込み処理を実行することを特徴とする電子温度計。
【発明の詳細な説明】
【０００１】
【発明の属する技術分野】
本発明は、温度センサで検出された温度を液晶ディスプレイに表示する電子温度計に関する。
【０００２】
【従来の技術】
この種の電子温度計は、図１１の如く、プラスチックケースで成る本体５０の前面に、温度センサで検出された温度を７セグメントの数字で表示する液晶ディスプレイ５１が設けられている。
【０００３】
そして、本体５０に温度センサが内蔵された内部センサ型と、本体５０に外付けされるセンサ棒やセンサプローブの内部に温度センサを設けた外部センサ型とがあり、前者は、主に室内や電車内等の気温を測るために使用され、後者は、乾燥等の雰囲気温度や、水温、食品の発酵温度、冷凍温度、冷蔵温度、調理品の中心部の加熱・殺菌温度等を測るために使用されている。
【０００４】
なお、内部センサ型の電子温度計には、温度センサの外に湿度センサも内蔵して、液晶ディスプレイに温度と湿度の両方を表示するようにしたものもある。
【０００５】
【発明が解決しようとする課題】
ところで、最近は、室内を快適な温度に自動コントロールするエアコンの普及によって、単に室内の気温を測定して表示するだけの一般家庭向け温度計は、実用性が薄れ、需要も漸減傾向にある。なお、デザイン的に優れた温度計は、インテリアとしての需要も見込めるが、図１１のように気温を７セグメント表示の数字で表すだけの電子温度計は、格別インテリアに適したものとは言えず、斬新性や見た目の面白さにも欠けるため、売行きが芳しくない。
【０００６】
また、食品の発酵温度や冷蔵温度、加熱・殺菌温度等が測定できる外部センサ型の電子温度計は、産業分野のみならず、一般家庭でも有用であると思われるが、これを使用する家庭の主婦が、例えばパンを作る際の測定対象温度であるパン生地のこね上がり温度や発酵温度を正確に知らなかったり、あるいは解凍した刺し身用冷凍マグロの最適な食べ頃温度や、病原菌を殺菌できる調理品中心部の加熱温度等を知らなければ、せっかくの電子温度計も有効に使いこなすことができないし、発酵温度や加熱・殺菌温度などの各種測定対象温度についてその最適温度や適正温度を一々文献等で調べるのも非常に面倒であるため、一般家庭にはあまり普及していない。
【０００７】
そこで本発明は、斬新で、見た目が面白く、使い勝手も良い電子温度計を提供するもので、従来のように単に温度センサで検出された温度を数字で表示するだけでなく、その温度の高低の度合いを視覚で実感させたり、各種測定対象温度の最適温度や適正温度を知らなくてもその温度を簡単に調べられるようにすることを技術的課題としている。
【０００８】
【課題を解決するための手段】
上記の課題を解決するために、本発明は、温度センサで検出された温度を液晶ディスプレイに表示する電子温度計において、測定範囲内の温度に対応する画像を格納した画像記憶部を有する記憶装置と、その画像記憶部から温度センサの検出温度に対応する画像を検索して液晶ディスプレイに表示する制御装置とを備えていることを特徴とする。
【０００９】
本発明の電子温度計は、温度センサで検出された温度のみならず、その検出温度に対応する画像も液晶ディスプレイに表示するので、従来品にはない見た目の面白さがあり、電子温度計の新たな需要を生み出すことができる。
【００１０】
特に、液晶ディスプレイに表示する画像が、温度センサで検出された温度の高低の度合いを表現するモチーフで構成されていれば、暖かさや寒さ、あるいは熱さや冷たさの度合いを視覚で実感することができるので、面白さも倍増する。
【００１１】
また、画像記憶部に、測定範囲内の個々の温度に対応する静止画像と、特定温度のみに対応する動画像とが格納されて、その特定温度が温度センサで検出されたときに、制御装置が、その検出温度に対応する静止画像を表示した液晶ディスプレイの画面上に動画像を表示する構成にすれば、動きのない静止画の画面に動画（ムービー）が突如出現するので、より一層面白さが増幅されると同時に、需要者は何度でどのような動画が出現するかという点に興味をそそられるので、電子温度計の大幅な売上アップが期待できる。
【００１２】
また、液晶ディスプレイに表示する画像が、例えばパン生地のこね上がり温度や、一次発酵温度、二次発酵温度等のような測定対象温度の種類を表すモチーフで構成されると共に、それら各測定対象温度の最適温度もしくは適正温度に対応して画像記憶部に格納されていれば、液晶ディスプレイに表示される各画像を見ながら各測定対象温度の最適温度や適正温度を確認して、パン生地のこね上がりから発酵に至るまでの温度管理をミス無く正確に行うことができる。
【００１３】
また、若し、各測定対象温度の最適温度や適正温度を知らなかったり、あるいは忘れたりしても、電子温度計の本体に設けたキー入力装置からの入力信号によって、制御装置が、記憶装置の画像記憶部に格納された各画像とその画像に対応する温度とを液晶ディスプレイにスクロール表示するようにすれば、各測定対象温度についてその最適温度や適正温度を簡易迅速に調べて知ることができるので、大変使い勝手が良い。
【００１４】
【発明の実施の形態】
以下、本発明の実施形態を図面によって具体的に説明する。
図１は本発明に係る電子温度計の外観を示す正面図、図２はその電子温度計の構造を示すブロック図、図３は電子温度計の基本動作を示すフローチャート、図４〜図７は電子温度計の記憶装置に格納された温度リスト、静止画像の画像データファイル、動画像の画像データファイル、温度−画像変換テーブルを夫々示す図、図８は本発明に係る電子温度計が組み込まれたエアコン用リモコン装置の外観を示す斜視図、図９は本発明に係る電子温度計の外観を示す正面図、図１０はその記憶装置の画像記憶部に格納された画像の例を示す図である。
【００１５】
図１の電子温度計は、プラスチックケースで成る本体１に、図２に示すマイクロコンピュータ２と温度センサ３が内蔵されると共に、その本体１の前面に、温度センサ３の検出温度を数値表示するセグメント表示部４ｂと、その検出温度に対応する画像を表示するドットマトリクス表示部４ａとを有した液晶ディスプレイ４が設けられている。
【００１６】
マイクロコンピュータ２は、ＣＰＵを構成する制御装置５及び演算装置６と、記憶装置７と、入出力ポート８とで成り、記憶装置７は、測定範囲（例えば、−５℃〜５０℃、−３０℃〜２００℃）内の温度に対応する画像を格納した画像記憶部等を有している。
【００１７】
つまり、記憶装置７は、測定範囲内の個々の温度とそれに対応する温度コードＡ〜Ｇとを記録した温度リスト（図４）と、各温度コードＡ〜Ｇに対応する静止画像を格納した画像データファイルａ０１〜ａ０５（図５）と、特定の温度コードＢ及びＥのみに対応する動画像を格納した画像データファイルｂ０１及びｂ０２（図６）と、温度コードＡ〜Ｇに対応する画像データファイルのファイル番号ａ０１〜ａ０５、ｂ０１及びｂ０２を記録した温度−画像変換テーブル（図７）とを有している。
【００１８】
制御装置５は、温度センサ３からＡＤ変換装置９を介して入力される温度データを入出力ポート８で読み取って、温度センサ３で検出された温度を演算装置６で算定し、その算定温度に対応する画像を入出力ポート８で液晶ディスプレイ４に表示する。
【００１９】
この一連の動作を図３によって説明すると、制御装置５は、温度センサ３から温度データが入力されたか否かを判定し（ステップ▲１▼）、温度データが入力されると、その温度データに基づいて温度センサ３の検出温度を演算装置６で算定する（ステップ▲２▼）。
【００２０】
次に、その検出温度を液晶ディスプレイ４のセグメント表示部４ｂに表示する（ステップ▲３▼）と同時に、記憶装置７に格納された図４の温度リストを参照して、温度センサ３の検出温度に対応する温度コードＡ〜Ｇを検索し（ステップ▲４▼）、更に、図７の温度−画像変換テーブルを参照して、ステップ▲４▼で検索した温度コードＡ〜Ｇに対応する画像データファイルａ０１〜ａ０５，ｂ０１，ｂ０２を検索し（ステップ▲５▼）、その検索した画像データファイルに格納されている画像を液晶ディスプレイ４のドットマトリクス表示部４ａに表示する（ステップ▲６▼）。
【００２１】
これにより、液晶ディスプレイ４には、温度センサ３で検出された温度の数値のみならず、その検出温度に対応する画像も表示されるので、見た目に面白さがある。
また、図５のように、画像データファイルａ０１，ａ０２，ａ０３，ａ０４及びａ０５に格納した各静止画像が、−５℃〜０℃，１℃〜１０℃，１１℃〜２０℃，２１℃〜２５℃及び２６℃〜３０℃の各温度に対応して、夫々「凍る」，「寒い」，「さわやか」，「暖かい」及び「暑い」というような温度の高低の度合いを表現する猫のモチーフで構成されていれば、それらの画像によって暖かさや寒さの度合いを視覚で実感することができるという面白さもある。
【００２２】
また、温度センサ３の検出温度が−５℃〜−１℃（温度コードＡ）の範囲内にあるときは、画像データファイルａ０１に格納された静止画像（凍りついた猫を表す画像）だけが液晶ディスプレイ４に表示されるが、その検出温度が０℃（温度コードＢ）になると、制御装置５が、図１に示すように、画像データファイルａ０１の静止画像を表示する液晶ディスプレイ４の画面上に、画像データファイルｂ０１に格納された動画像（画面を横切るように歩くペンギンを表す画像）を表示する。つまり、０℃になると、０℃のときしか見られない隠れキャラクターのペンギンが、突如現れて、凍りついた猫の前をトコトコと歩いて通りすぎるという予期せぬ面白い画像が現出する。
【００２３】
また、温度センサ３の検出温度が１１℃〜１９℃（温度コードＤ）の範囲内にあるときは、液晶ディスプレイ４に、画像データファイルａ０３に格納された静止画像（花を持った猫を表す画像）だけが表示されているが、その検出温度が２０℃（温度コードＥ）になると、画像データファイルａ０３の静止画像を表示する液晶ディスプレイ４の画面上に、画像データファイルｂ０２に格納された動画像（飛び回る蝶を表す画像）が表示されて、花を持った猫の周囲を蝶が飛び回るという予期せぬ画像が現出する（図８参照）。
【００２４】
なお、制御装置５が、それらの動画像をインターバルタイマによって一定時間ごとに表示するようにすれば、より面白さが増すと同時に、電源となる電池の消耗を低減することができる。
【００２５】
また、本発明に係る電子温度計は、これを図８に示すように、エアコン用のリモコン装置１０に組み込めば、液晶ディスプレイ４に表示された気温とその気温に対応する画像情報に基づいて、エアコンの起動・停止や温度調節等を楽しく且つ的確に行うことができる。
【００２６】
次に、図９の電子温度計は、図２に示す温度センサ３を本体１に外付けされるセンサ棒１１の内部に設けた外部センサ型のもので、その記憶装置の画像記憶部には図１０に示すような画像ｃ０１〜ｃ０４等が格納されている。
【００２７】
各画像ｃ０１〜ｃ０４は、測定対象温度の種類を表すモチーフで構成されており、画像ｃ０１は、測定対象温度がパン生地のこね上がり温度であることを表すモチーフ（手でこね上げるパン生地）で構成されると共に、こね上がり温度の適正温度（２７℃〜２８℃）に対応して画像記憶部に格納されている。
また、画像ｃ０２は、こね上がったパン生地の一次発酵温度を表すモチーフ（一本指を立てたパン生地）で構成され、その最適温度（３０℃）に対応して画像記憶部に格納されている。
また、画像ｃ０３は、パン生地の二次発酵温度を表すモチーフ（二本指を立てたパン生地）で構成され、その適正温度（３８℃〜４０℃）に対応して画像記憶部に格納されている。
【００２８】
また、画像ｃ０４は、ハンバーグやコロッケ等の調理品の中心部の加熱殺菌温度を表すモチーフ（バイ菌）で構成されると共に、その加熱殺菌温度の適正温度（８０℃〜１００℃）に対応して画像記憶部に格納されている。なお、画像が表示する測定対象温度の種類は、発酵温度や加熱・殺菌温度に限らず、冷凍温度や冷蔵温度等であっても良い。
【００２９】
そして、制御装置は、被検温物に突き刺すセンサ棒１１の内部に設けた温度センサで検出された温度を液晶ディスプレイ４のセグメント表示部４ｂに表示すると共に、その検出温度に対応する画像ｃ０１〜ｃ０４を記憶装置の画像記憶部から検索して液晶ディスプレイ４のドットマトリクス表示部４ａに表示する。
【００３０】
また、制御装置は、本体１の前面に設けたキー入力装置１２からの入力信号により、温度センサの検出温度に対応する画像を画像記憶部から検索する上記の処理を中断して、当該画像記憶部に格納された各画像ｃ０１〜ｃ０４とその画像に対応する温度とを液晶ディスプレイ４のドットマトリクス表示部４ａとセグメント表示部４ｂに夫々スクロール表示する割込み処理を実行するようになっている。
【００３１】
これにより、測定対象温度であるパン生地のこね上がり温度、一次発酵温度、二次発酵温度や、調理品の中心部の加熱殺菌温度等について、その最適温度や適正温度を正確に知らなかったり、あるいは忘れていたりしても、それらの温度を測る前に、キー入力装置１２のキー操作により、記憶装置の画像記憶部に格納された画像ｃ０１〜ｃ０４とそれら各画像に対応する温度とを液晶ディスプレイ４に順次表示して、測定対象温度の最適温度や適正温度を簡易迅速に知ることができるので、家庭の主婦にとっては大変便利である。また、測定対象温度の適正温度を記憶して知っているつもりでも、その記憶が間違っていないか不安を感ずることがあるが、本発明によれば、画像ｃ０１〜ｃ０４とそれらに対応する温度をスクロール表示して各測定対象温度の適正温度を事前に確認することができるので安心感がある。
【００３２】
【発明の効果】
本発明に係る電子温度計は、温度センサで検出した温度を数値で表示するだけでなく、その検出温度の高低の度合いを画像で表示して、暖かさや寒さを視覚で実感させたり、発酵温度や加熱殺菌温度等の測定対象温度についてその最適温度や適正温度を画像で表示して客観的に知らしめることができ、非常に有用で、見た目も大変面白いので、従来にない斬新な電子温度計として多大な需要が見込めるという優れた効果がある。
【図面の簡単な説明】
【図１】本発明に係る電子温度計の外観を示す正面図。
【図２】本発明に係る電子温度計の構造を示すブロック図。
【図３】本発明に係る電子温度計の基本動作を示すフローチャート。
【図４】記憶装置に格納した温度リストの図。
【図５】記憶装置の画像データファイルに格納した静止画像の図。
【図６】記憶装置の画像データファイルに格納した動画像の図。
【図７】記憶装置に格納した温度−画像変換テーブルの図。
【図８】本発明に係る電子温度計を組み込んだエアコン用リモコン装置の外観斜視図。
【図９】本発明に係る電子温度計の外観を示す正面図。
【図１０】記憶装置の画像記憶部に格納した画像を例示する図。
【図１１】従来の電子温度計を示す図。
【符号の説明】
１・・・・・電子温度計の本体
３・・・・・温度センサ
４・・・・・液晶ディスプレイ
４ａ・・・・ドットマトリクス表示部
４ｂ・・・・セグメント表示部
５・・・・・制御装置
７・・・・・記憶装置
１２・・・・・キー入力装置
【図１】
0003609644.tif 000002
【図２】
0003609644.tif 000003
【図３】
0003609644.tif 000004
【図４】
0003609644.tif 000005
【図５】
0003609644.tif 000006
【図６】
0003609644.tif 000007
【図７】
0003609644.tif 000008
【図８】
0003609644.tif 000009
【図９】
0003609644.tif 000010
【図１０】
0003609644.tif 000011
【図１１】
0003609644.tif 000012